(57)【要約】      （修正有）【課題】親世帯に属する子が存在する場合でも、それぞれに気を遣うことなく生活することができる住宅を提供する。【解決手段】住宅Ａは、親世帯台所３１を含む親世帯ＬＤＫ３０と親世帯玄関１１とを備える親世帯住居部Ｘと、子世帯台所を含む子世帯ＬＤＫと子世帯玄関２１とを備える子世帯住居部と、親世帯住居部Ｘと子世帯住居部とを区画する建具１５ａ及び建具１５ｂと、建具１５ａ及び建具１５ｂよりも親世帯住居部Ｘ側に設けられた個室空間６０と、を備える。個室空間６０は、洗面台６１と、収納部６２とを備える。個室空間６０は、親世帯ＬＤＫ３０を通ることなく、親世帯玄関ホール１２を介して親世帯玄関１１にアクセス可能とされ、更に、親世帯ＬＤＫ３０を通ることなく、親世帯玄関ホール１２を介して子世帯住居部からアクセス可能とされる。【選択図】図１
2014031636.tif 000002
【特許請求の範囲】
【請求項１】
少なくとも台所を含む一般居住空間と玄関とを備える親世帯住居部と、
少なくとも台所を含む一般居住空間と玄関とを備える子世帯住居部と、
前記親世帯住居部と前記子世帯住居部とを区画する区画手段と、
前記区画手段よりも前記親世帯住居部側に設けられた個室空間と、
を備え、
前記個室空間は、少なくとも洗面台と収納空間とを備えると共に、前記親世帯住居部の一般居住空間を通ることなく、通路空間を介して前記親世帯住居部の玄関にアクセス可能とされ、更に、前記親世帯住居部の一般居住空間を通ることなく、前記通路空間を介して前記子世帯住居部からアクセス可能とされる、住宅。
【請求項２】
前記親世帯住居部には、前記親世帯住居部の一般居住空間を介することなく、前記個室空間から前記通路空間を介してアクセス可能なトイレ空間が設けられる、
請求項１に記載の住宅。
【請求項３】
前記子世帯住居部には、孫世代の主要空間となる孫空間部が設けられ、
前記孫空間部は、前記親世帯住居部と前記子世帯住居部の一般居住空間との間に設けられ、
前記親世帯住居部から前記孫空間部へは、前記子世帯住居部の一般居住空間を介することなくアクセス可能とされる、
請求項１又は請求項２に記載の住宅。
【請求項４】
前記親世帯住居部の一般居住空間は地上階に設けられ、
前記子世帯住居部の一般居住空間は最上階に設けられ、
前記個室空間と前記子世帯住居部の孫空間部とは中間階に設けられる、
請求項３に記載の住宅。
【発明の詳細な説明】
【技術分野】
【０００１】
本発明は、２つの世帯が一戸の住宅に居住し得る住宅に関するものである。
【背景技術】
【０００２】
従来の二世帯住宅には、玄関、及び、浴室等の一部の空間を世帯間で共用とした共用型から、夫々の世帯に少なくとも玄関、台所、浴室、トイレ、及び、居室を備え、生活空間が完全に分離された完全分離型まで様々な形態がある（例えば特許文献１参照）。
【０００３】
近年、二世帯住宅の親世帯は多様化し、父母二人になるのを待つことなく、親世帯が未婚の子等を抱えた３人〜４人の状態で、子供の子育て期を迎えた子世帯と同居する状況も増えつつある。具体的には、例えば、親世帯と、親世帯の子であって未婚の子（以下「親世帯に属する子」という）と、親世帯の子であって結婚した子の世帯（以下「子世帯」という）及び当該子世帯の子（親世帯から見ると孫）とが同居する状況がある。この場合、親世帯に属する子も既に就労期を迎えている大人である場合がほとんどで、親世帯に属する子のプライバシーにも配慮することが必要となってくる。
【０００４】
この点、例えば特許文献２には、住宅内に独立性の高い老人室を設け、この老人室の周囲にトイレ、洗面所、浴室を配置する構成が開示されている。従って、特許文献２に記載された老人室を参考とし、二世帯住宅の親世帯側にこの種の独立性の高い個室を親世帯に属する子のために設けることが考えられる。
【先行技術文献】
【特許文献】
【０００５】
【特許文献１】特開２００６−２９９６１６号公報
【特許文献２】特開平１０−２９９２７０号公報
【発明の概要】
【発明が解決しようとする課題】
【０００６】
しかしながら、上記特許文献２に記載された住宅の構成では、玄関に続いて当該住宅のリビング空間が設けられ、このリビング空間のさらに奥方に老人室が設けられる構成となっており、玄関から老人室へのアクセスは必ずリビング空間を通過しなければならない。このため、特許文献２に記載された住宅の構成を特許文献１の構成に組み合わせると、単に親世帯のリビング空間の奥方に個室空間が設けられるものとなるが、親世帯が定年を迎える一方、親世帯に属する子が就労等している場合には、それぞれの生活時間が異なる。例えば親世帯が就寝しているタイミングで親世帯に属する子が帰宅する等の場合、上記構成では親世帯の生活領域に親世帯に属する子が入り込むこととなり、親世帯の生活を乱しかねない。或いは、かかる事態を回避すべく親世帯に属する子が親世帯に気を遣うこととなり、親子の共同生活が却って居心地の悪いものとなりかねない。
【０００７】
そこで本発明は、親世帯に属する子が存在する場合でも、それぞれに気を遣うことなく生活することができる住宅を提供することを目的とする。
【課題を解決するための手段】
【０００８】
上記課題を解決すべく、本発明に係る住宅は、少なくとも台所を含む一般居住空間と玄関とを備える親世帯住居部と、少なくとも台所を含む一般居住空間と玄関とを備える子世帯住居部と、親世帯住居部と子世帯住居部とを区画する区画手段と、区画手段よりも親世帯住居部側に設けられた個室空間と、を備え、個室空間は、少なくとも洗面台と収納空間とを備えると共に、親世帯住居部の一般居住空間を通ることなく、通路空間を介して親世帯住居部の玄関にアクセス可能とされ、更に、親世帯住居部の一般居住空間を通ることなく、通路空間を介して子世帯住居部からアクセス可能とされる。
【０００９】
この発明では、個室空間は、少なくとも洗面台と収納空間とを備えると共に、親世帯住居部の一般居住空間を通ることなく、通路空間を介して親世帯住居部の玄関にアクセスすることができる。即ち、個室空間を利用する親世帯に属する子は、食事と入浴以外の生活を親世帯の一般居住空間から独立して行うことができ、これによって、個室空間の独立性を高めることができる。特に、洗面台が親世帯の一般居住空間とは別に設けられているため、親世帯の生活（時間）を気にすることなく、又、親世帯の使用の有無を確認することなく当該洗面台を使用することができる。この洗面台は、例えばドライヤーを使用する等、騒音の発生源ともなる。また、朝の出掛けのタイミング等、洗面台の使用のタイミングは重なりやすいが、このような場合でも親世帯と親世帯に属する子とが順番待ちをすることなく洗面台を使用することができる。
【００１０】
また、個室空間から親世帯の玄関に直接アクセスすることができるので、親世帯と親世帯に属する子との生活時間が異なり、例えば親世帯に属する子が親世帯の就寝時に帰宅することとなっても、親世帯の一般居住空間（即ち生活領域）に踏み込むことなく個室空間に至ることができ、親世帯に気兼ねなく帰宅等することができる。また、親世帯に属する子が友人等の訪問を受ける場合でも、親世帯の一般居住空間に立ち入ることなく友人を招くことができ、親世帯に属する子及び友人にとっても気軽に当該親世帯に属する子の個室空間での時間を過ごすことができる。
【００１１】
また、個室空間を使用する親世帯に属する子が独立等して当該住宅を出て行った場合には、個室空間が空くこととなる。この場合、子世帯住居部から、親世帯住居部の一般居住空間を通ることなく個室空間へアクセス可能となっているので、子世帯が個室空間を使用する場合に、親世帯の一般居住空間に踏み込むことなく個室空間に至ることができ、親世帯に気兼ねなく個室空間を使用できる。
【００１２】
以上のように、本発明では、親世帯に属する子が存在する場合でも、それぞれに気を遣うことなく生活することができる。
【００１３】
親世帯住居部には、親世帯住居部の一般居住空間を介することなく、個室空間から通路空間を介してアクセス可能なトイレ空間が設けられることが好ましい。この場合には、親世帯住居部の一般居住空間にアクセスすることなく個室空間からトイレ空間にアクセスすることができ、個室空間の親世帯の中での独立性をより高めることができる。
【００１４】
子世帯住居部には、孫世代の主要空間となる孫空間部が設けられ、孫空間部は、親世帯住居部と子世帯住居部の一般居住空間との間に設けられ、親世帯住居部から孫空間部へは、子世帯住居部の一般居住空間を介することなくアクセス可能とされることが好ましい。ここで、子世帯の両親とも仕事等で不在の場合等に、自分たちに代わって当該不在の時間だけ孫（子世帯の子）の面倒を親世帯に見てもらいたいという要望がある反面、留守にしている子世帯住居部の一般居住空間に親世帯が自由に出入りすることに抵抗を感じるという考えもある。そこで、本発明では、孫空間部を、親世帯住居部と子世帯住居部の一般居住空間との間に設けることで、親世帯住居部から孫空間部へは子世帯住居部の一般居住空間を通らずにアクセスでき、親世帯は孫空間部へ気軽に入って孫の面倒を見ることができる。更に、孫が親世帯住居部に居る場合には、親世帯が子世帯住居部を通ることなく孫部屋空間に玩具等の物を取りに行ったり、または物を収納しに行ったりすることもできる。また、個室空間からも、子世帯住居部の一般居住空間を通らずに孫空間にアクセスすることができる。
【００１５】
親世帯住居部の一般居住空間は地上階に設けられ、子世帯住居部の一般居住空間は最上階に設けられ、個室空間と子世帯住居部の孫空間部とは中間階に設けられることが好ましい。これによれば、生活動線において上下移動の体力的負担が大きい親世帯の一般居住空間が地上階に設けられ、当該負担が比較的小さい子世帯の一般居住空間が最上階に設けられることで、親世帯の体力的負担を軽減するのみならず、親世帯及び子世帯の一般居住空間同士を可及的分離して親世帯と子世帯との独立性を高めることができる。
【００１６】
更に、個室空間を中間階に設けると共に子世帯の孫空間部を中間階に設けることにより、これらの空間がバッファーとなり物理的のみならず心理的にも親世帯と子世帯との一般居住空間同士を遠ざけることができ、より独立性の高い住宅とすることができる。一方で、孫空間部と個室空間とが中間階で比較的近い距離に設けられることにより、これらの室に属する者同士の交流も生まれ、交流の多様性が生まれる。
【発明の効果】
【００１７】
本発明によれば、親世帯に属する子が存在する場合でも、それぞれに気を遣うことなく生活することができる。
【図面の簡単な説明】
【００１８】
【図１】本発明の第１の実施形態に係る２階建て住宅の１階平面図である。
【図２】本発明の第１の実施形態に係る２階建て住宅の２階平面図である。
【図３】本発明の第２の実施形態に係る３階建て住宅の１階平面図である。
【図４】本発明の第２の実施形態に係る３階建て住宅の２階平面図である。
【図５】本発明の第２の実施形態に係る３階建て住宅の３階平面図である。
【発明を実施するための形態】
【００１９】
以下、本発明の好適な実施形態について図面を参照しながら説明する。なお、各図面において、同一構成要素には同一番号を付して詳細な説明を省略する。
【００２０】
（第１の実施形態）
まず、第１の実施形態について説明する。図１及び図２に示されるように、住宅Ａは、２階建構造となっており、建物の最上部には屋根構造が設けられる。なお、本実施形態では、部屋の配置説明を容易にするため、図１及び図２中の上方向を北側として説明する。図３〜図５についても同様に、図中、上側方向を北側として説明する。
【００２１】
住宅Ａは、親世帯の夫婦（以下「親世帯」という）、親世帯の子であって未婚者（親世帯に属する子）、及び、親世帯の子であって既婚の子世帯の家族が同居するものであり、親世帯及び親世帯に属する子が１階、子世帯が２階に居住することを想定した二世帯住宅となっている。また、子世帯には、子世帯の子（以下「孫」という）がいるものとする。孫から見ると、親世帯に属する子は、叔父・叔母となる。
【００２２】
（住宅の１階の全体構成）
住宅Ａの１階には、図１に示すように、親世帯玄関部１０、子世帯玄関部２０、親世帯の居間・食堂・台所を備える部屋（以下「親世帯ＬＤＫ」という）３０、親世帯寝室４０、親世帯水周り５０、個室空間６０、及び、書斎７０が設けられる。住宅Ａの１階には、親世帯と、親世帯に属する子とが居住する。
【００２３】
子世帯玄関部２０は、住宅Ａの北東の角部に設けられる。子世帯玄関部２０は、子世帯が使用する。子世帯玄関部２０は、子世帯玄関２１と、子世帯玄関ホール２２とを含んで構成される。子世帯玄関２１は、住宅Ａの東側の壁部に設けられる。子世帯玄関ホール２２は、子世帯玄関２１を介して住宅Ａの外部と出入り可能に連通する。子世帯玄関ホール２２は、住宅Ａの東西方向に延在する。子世帯玄関ホール２２の西側の端部には、階段２５が設けられる。階段２５は、住宅Ａの１階と２階とをつなぐものであり、Ｕターン形式となっている。階段２５の下方には、収納部２３が設けられる。
【００２４】
親世帯玄関部１０は、間仕切壁を挟んで子世帯玄関部２０の南側の位置に設けられる。親世帯玄関部１０は、親世帯と、親世帯に属する子とが使用する。親世帯玄関部１０は、親世帯玄関１１と、親世帯玄関ホール（通路空間）１２と、共用トイレ（トイレ空間）１３と、世帯間収納部１５とを含んで構成される。親世帯玄関１１は、住宅Ａの東側の壁部に設けられる。親世帯玄関ホール１２は、親世帯玄関１１を介して住宅Ａの外部と出入り可能に連通する。親世帯玄関ホール１２は、住宅Ａの東西方向に延在する。
【００２５】
共用トイレ１３は、親世帯玄関部１０の南東の位置に設けられ、親世帯玄関ホール１２から出入り可能となっている。共用トイレ１３は、主として親世帯に属する子が使用する。また、共用トイレ１３は、親世帯、親世帯の来客者、及び、親世帯に属する子の来客も使用することができる。共用トイレ１３には、便器等が設けられる。これら隣接する共用トイレ１３と親世帯玄関ホール１２との間には片開き形式の建具１３ａが設けられ、当該建具１３ａを開閉させて共用トイレ１３と親世帯玄関ホール１２との間を行き来することができるものとなっている。
【００２６】
世帯間収納部１５は、親世帯玄関ホール１２と子世帯玄関ホール２２との間に設けられる。親世帯玄関ホール１２と世帯間収納部１５との間には２枚引き違い形式の建具１５ａが設けられ、当該建具１５ａを開閉させて親世帯玄関ホール１２と世帯間収納部１５との間を行き来することができるものとなっている。子世帯玄関ホール２２と世帯間収納部１５との間には２枚引き違い形式の建具１５ｂが設けられ、当該建具１５ｂを介して子世帯玄関ホール２２と世帯間収納部１５との間を行き来することができるものとなっている。即ち、親世帯玄関ホール１２と子世帯玄関ホール２２との間は、世帯間収納部１５の建具１５ａ及び建具１５ｂを開閉させて行き来することができる。このように、建具１５ａ及び建具１５ｂは、親世帯住居部Ｘと子世帯住居部Ｙとを区画する区画手段として機能する。親世帯住居部Ｘ及び子世帯住居部Ｙについて詳しくは後述する。
【００２７】
個室空間６０は、親世帯玄関部１０の南側であって、住宅Ａの南東の位置に設けられる。個室空間６０は、親世帯に属する子が使用する。個室空間６０には、洗面台６１、収納部（収納空間）６２、ベッド６３、及び、机６４等が設けられる。個室空間６０と親世帯玄関ホール１２との間には片開き形式の建具６０ａが設けられ、当該建具６０ａを開閉させて個室空間６０と親世帯玄関ホール１２との間を行き来することができるものとなっている。
【００２８】
親世帯水周り５０は、子世帯玄関部２０の西側であって、住宅Ａの北西の角部に設けられる。親世帯水周り空間５０は、親世帯及び親世帯に属する子が使用する。親世帯水周り空間５０には、東側から西側に向かって順に、浴室５１、洗面所５２、及び、親世帯トイレ５３が設けられる。
【００２９】
浴室５１には、浴槽等が設けられる。洗面所５２と浴室５１との間には３枚引き違い形式の建具５１ａが設けられ、当該建具５１ａを開閉させて洗面所５２と浴室５１との間を行き来することができるものとなっている。親世帯トイレ５３には、便器等が設けられる。洗面所５２と親世帯トイレ５３との間には片引き形式の建具５３ａが設けられ、当該建具５３ａを開閉させて洗面所５２と親世帯トイレ５３との間を行き来することができるものとなっている。洗面所５２には、洗面台及び洗濯機等が設けられる。洗面所５２と洗面所５２の南側の位置に設けられた親世帯ＬＤＫ３０との間には片引き形式の建具５２ａが設けられ、当該建具５２ａを開閉させて洗面所５２と親世帯ＬＤＫ３０との間を行き来することができるものとなっている。
【００３０】
親世帯寝室４０は、住宅Ａの西側の位置に設けられる。親世帯寝室４０は、親世帯が使用する。親世帯寝室４０には、収納部４１と、ベッド４２等が設けられる。親世帯寝室４０と親世帯寝室４０の東側の位置に設けられる親世帯ＬＤＫ３０と間には片引き形式の建具４０ａが設けられ、当該建具４０ａを開閉させて親世帯寝室４０と親世帯ＬＤＫ３０との間を行き来することができるものとなっている。親世帯寝室４０と親世帯寝室４０の南側の位置に設けられる書斎７０との間には片引き形式の建具４０ｂが設けられ、当該建具４０ｂを開閉させて親世帯寝室４０と書斎７０との間を行き来することができるものとなっている。
【００３１】
親世帯ＬＤＫ３０は、親世帯寝室４０と、親世帯玄関部１０及び個室空間６０との間に設けられる。親世帯ＬＤＫ３０は、主に、親世帯、及び、親世帯に属する子が使用する。また、親世帯ＬＤＫ３０は、親世帯に会いに来た子世帯も使用することができる。親世帯ＬＤＫ３０には、親世帯台所３１と、親世帯居間３２とが設けられる。親世帯台所３１は親世帯ＬＤＫ３０の北側の位置に設けられ、親世帯居間３２は親世帯台所３１の南側に隣接して設けられる。親世帯台所３１と親世帯居間３２との間には間仕切り等は無く、連続した空間となっている。親世帯居間３２には、机３３、ソファー３４、及び、テレビ３５等が設けられる。
【００３２】
親世帯台所３１と親世帯玄関ホール１２との間には片引き形式の建具３１ａが設けられ、当該建具３１ａを開閉させて親世帯台所３１と親世帯玄関ホール１２との間を行き来することができるものとなっている。これにより、親世帯玄関１１から、親世帯居間３２を介することなく親世帯台所３１にアクセスすることができる。親世帯居間３２と親世帯玄関ホール１２との間には片開き形式の建具３１ｂが設けられ、当該建具３１ｂを開閉させて親世帯居間３２と親世帯玄関ホール１２との間を行き来することができるものとなっている。
【００３３】
書斎７０は、親世帯寝室４０の南側の位置に設けられる。書斎７０と親世帯居間３２とは東西方向において隣接している。書斎７０と親世帯居間３２との間には間仕切り等は無く、連続した空間となっている。書斎７０には、本棚７１等が設けられる。
【００３４】
親世帯台所３１の西側の位置には、収納部３６が設けられる。収納部３６と親世帯台所３１との間には２枚引き違い形式の建具３６ａが設けられ、当該建具３６ａを開閉させて収納部３６と親世帯台所３１との間を行き来することができるものとなっている。
【００３５】
このように、親世帯玄関部１０、共用トイレ１３、親世帯ＬＤＫ３０、親世帯寝室４０、親世帯水周り空間５０、及び、書斎７０は、主として親世帯が使用する空間（以下「親世帯住居部」という）Ｘとなる。なお、親世帯玄関部１０、共用トイレ１３、親世帯ＬＤＫ３０、及び、親世帯水周り空間５０は、親世帯に属する子も使用することができる。また、親世帯ＬＤＫ３０、親世帯寝室４０、及び、親世帯水周り空間５０が、親世帯の一般居住空間となる。
【００３６】
以上のような１階の間取りとすることで、親世帯に属する子は、親世帯が居住する親世帯ＬＤＫ３０及び親世帯寝室４０等を通ることなく、親世帯玄関１１から個室空間６０へアクセスすることができる。親世帯に属する子は、個室空間６０から親世帯玄関ホール１２を介して共用トイレ１３にアクセスし、共用トイレ１３を使用することができる。親世帯に属する子は、入浴の際には浴室５１を使用する。また、親世帯に属する子は、食事の際には親世帯台所３１を使用したり、親世帯と共に親世帯居間３２で食事をしたりすることができる。
【００３７】
（住宅の２階の全体構成）
住宅Ａの２階には、図２に示すように、孫空間部１００、２階ホール１１０、子世帯の居間・食堂・台所を備える部屋（以下「子世帯ＬＤＫ」という）１２０、子世帯寝室１３０、及び、子世帯水周り空間１４０が設けられる。住宅Ａの２階には、子世帯（子世帯夫婦及び孫）が居住する。
【００３８】
２階ホール１１０は、階段２５の南側の位置において東西方向に延在すると共に、階段２５の降り口に連絡する。２階ホール１１０には、本棚１１１が設けられる。
【００３９】
孫空間部１００は、住宅Ａの北東の位置に設けられる。孫空間部１００は、孫が使用する空間であり、孫世代の主要空間となる。孫空間部１００には、ベッド１０１、及び、机１０２等が設けられる。２階ホール１１０と孫空間部１００とは東西方向において隣接している。孫空間部１００と２階ホール１１０との間には片開き形式の建具１００ａが設けられ、当該建具１００ａを開閉させて孫空間部１００と２階ホール１１０との間を行き来することができるものとなっている。
【００４０】
子世帯ＬＤＫ１２０は、２階ホール１１０及び孫空間部１００の南側の位置に設けられる。子世帯ＬＤＫ１２０は、子世帯が使用する。子世帯ＬＤＫ１２０には、子世帯台所１２１と、子世帯居間１２２とが設けられる。子世帯台所１２１は、子世帯ＬＤＫ１２０の北側の位置に設けられ、子世帯居間１２２は子世帯台所１２１の南側に隣接して設けられる。子世帯台所１２１と子世帯居間１２２との間には間仕切り等は無く、連続した空間となっている。子世帯居間１２２には、机１２３、ソファー１２４、及び、テレビ１２５等が設けられる。
【００４１】
２階ホール１１０の東側の位置には、２階ホール１１０と子世帯ＬＤＫ１２０とを区画する片開き形式の建具１１０ａが設けられる。また、２階ホール１１０の西側の位置には、２階ホール１１０と子世帯ＬＤＫ１２０とを区画する片引き形式の建具１１０ｂが設けられる。２階ホール１１０と子世帯ＬＤＫ１２０との間は、建具１１０ａ、或は、建具１１０ｂを開閉させることで行き来することができる。
【００４２】
子世帯ＬＤＫ１２０と孫空間部１００との間の間仕切壁には、孫空間部１００と子世帯ＬＤＫ１２０とを区画する２枚引き違い形式の建具１２０ａが設けられる。孫空間部１００と子世帯ＬＤＫ１２０との間は、建具１２０ａを開閉することで行き来することができる。
【００４３】
子世帯水周り空間１４０は、住宅Ａの北西の位置に設けられる。子世帯水周り空間１４０は、子世帯が使用する。子世帯水周り空間１４０には、東側から西側に向かって順に、浴室１４１、洗面所１４２、及び、子世帯トイレ１４３が設けられる。
【００４４】
浴室１４１には、浴槽等が設けられる。洗面所１４２と浴室１４１との間には片開き形式の建具１４１ａが設けられ、当該建具１４１ａを開閉させて洗面所１４２と浴室１４１との間を行き来することができるものとなっている。子世帯トイレ１４３には、便器等が設けられる。洗面所１４２と子世帯トイレ１４３との間には片引き形式の建具１４３ａが設けられ、当該建具１４３ａを開閉させて洗面所１４２と子世帯トイレ１４３との間を行き来することができるものとなっている。洗面所１４２には、洗面台及び洗濯機等が設けられる。洗面所１４２と洗面所１４２の南側に位置する２階ホール１１０との間は片引き形式の建具１４２ａが設けられ、当該建具１４２ａを開閉させて洗面所１４２と２階ホール１１０との間を行き来することができるものとなっている。
【００４５】
子世帯寝室１３０は、２階ホール１１０及び子世帯ＬＤＫ１２０の西側の位置に設けられる。子世帯寝室１３０は、子世帯の子夫婦が使用する。子世帯寝室１３０には、収納部１３１及び収納部１３２と、ベッド１３３等が設けられる。子世帯寝室１３０と子世帯ＬＤＫ１２０との間は２枚引き違い形式の建具１３０ａが設けられ、当該建具１３０ａを開閉させて子世帯寝室１３０と子世帯ＬＤＫ１２０との間を行き来することができるものとなっている。
【００４６】
このように、子世帯玄関部２０、孫空間部１００、２階ホール１１０、子世帯ＬＤＫ１２０、子世帯寝室１３０、及び、子世帯水周り空間１４０は、主として子世帯が使用する空間（以下「子世帯住居部」という）Ｙとなる。また、子世帯ＬＤＫ１２０、子世帯寝室１３０、及び、子世帯水周り空間１４０が、子世帯の一般居住空間となる。
【００４７】
以上のような２階の間取りとすることで、子世帯ＬＤＫ１２０及び子世帯寝室１３０を通ることなく、親世帯住居部Ｘから、建具１５ａ，１５ｂ、階段２５、２階ホール１１０、及び、建具１１０ａを介して孫空間部１００にアクセスすることができる。
【００４８】
本実施形態は以上のように構成され、個室空間６０は、洗面台６１と収納部６２とを備えると共に、親世帯住居部Ｘの一般居住空間を通ることなく、親世帯玄関ホール１２を介して親世帯玄関１１にアクセスすることができる。即ち、個室空間６０を利用する親世帯に属する子は、食事と入浴以外の生活を親世帯の一般居住空間から独立して行うことができ、これによって、個室空間６０の独立性を高めることができる。特に、洗面台６１が親世帯の親世帯住居部Ｘの洗面所５２とは別に設けられているため、親世帯の生活（時間）を気にすることなく、又、親世帯の使用の有無を確認することなく当該洗面台６１を使用することができる。この洗面台６１は、例えばドライヤーを使用する等、騒音の発生源ともなる。また、朝の出掛けのタイミング等、洗面台６１の使用のタイミングは重なりやすいが、このような場合でも親世帯と親世帯に属する子とが順番待ちすることなく洗面所を使用することができる。
【００４９】
また、個室空間６０から親世帯の親世帯玄関１１に直接アクセスすることができるので、親世帯と親世帯に属する子との生活時間が異なり、例えば親世帯に属する子が親世帯の就寝時に帰宅することとなっても、親世帯の一般居住空間に踏み込むことなく個室空間６０に至ることができ、親世帯に気兼ねなく帰宅等することができる。また、親世帯に属する子が友人等の訪問を受ける場合でも、親世帯の一般居住空間に立ち入ることなく友人を招くことができ、親世帯に属する子及び友人にとっても気軽に当該親世帯の属する子の個室空間６０での時間を過ごすことができる。
【００５０】
また、個室空間６０を使用する親世帯に属する子が独立等して当該住宅Ａを出て行った場合には、個室空間６０が空くこととなる。この場合、子世帯住居部Ｙから、親世帯住居部Ｘの一般居住空間を通ることなく個室空間６０へアクセス可能となっているので、子世帯や孫が個室空間６０を使用する場合に、親世帯の一般居住空間に踏み込むことなく個室空間６０に至ることができ、親世帯に気兼ねなく個室空間６０を使用できる。また、個室空間６０が空いた場合、親世帯と、子世帯とが個室空間６０を共同で使用してもよい。また、例えば、個室空間６０を音楽教室等として使用する場合であっても、親世帯住居部Ｘ及び子世帯住居部Ｙの一般居住空間を通ることなく、音楽教室の生徒等が、親世帯玄関１１から個室空間６０へアクセスすることができる。また、音楽教室の生徒等がトイレを使用する際にも、共用トイレ１３を使用することができ、親世帯や子世帯に気兼ねする必要が無い。
【００５１】
以上のように、本発明では、親世帯に属する子が存在する場合でも、それぞれに気を遣うことなく生活することができる。
【００５２】
親世帯玄関部１０に共用トイレ１３を設けることにより、親世帯住居部Ｘの一般居住空間にアクセスすることなく個室空間６０から共用トイレ１３にアクセスすることができ、個室空間６０の親世帯の中での独立性をより高めることができる。
【００５３】
ここで、子世帯の両親とも仕事等で不在の場合等に、自分たちに代わって当該不在の時間だけ孫の面倒を親世帯に見てもらいたいという要望がある反面、留守にしている一般居住空間（子世帯ＬＤＫ１２０等）に親世帯が自由に出入りすることに抵抗を感じるという考えもある。そこで、本実施形態では、孫空間部１００を、親世帯住居部Ｘと子世帯住居部Ｙの一般居住空間との間に設けることで、親世帯住居部Ｘから孫空間部１００へは一般居住空間を通らずにアクセスでき、親世帯は孫空間部１００へ気軽に入って孫の面倒を見ることができる。特に、建具１１０ａ及び建具１１０ｂの開閉状態を、２階ホール１１０から子世帯ＬＤＫ１２０への進入の可否を示す意思表示手段として用いることができる。例えば、建具１１０ａ及び建具１１０ｂが閉められている場合には、子世帯ＬＤＫ１２０への進入を拒んでいることを表すことを、親世帯、親世帯に属する子、及び、子世帯間で取り決めをしておくことができる。
【００５４】
更に、孫が親世帯住居部Ｘに居る場合には、親世帯が子世帯住居部Ｙの一般居住空間を通ることなく孫空間部１００に玩具等の物を取りに行ったり、または物を収納しに行ったりすることもできる。また、個室空間６０からも、子世帯住居部Ｙの一般居住空間を通らずに孫空間部１００にアクセスすることができる。
【００５５】
また、親世帯住居部Ｘから２階ホール１１０に設けられた本棚１１１へは、子世帯住居部Ｙの一般居住空間を通ることなくアクセスできる。これにより、親世帯、及び、親世帯に属する子は、子世帯に気兼ねすることなく本棚１１１にアクセスすることができる。このため、本棚１１１を、親世帯、親世帯に属する子、及び、子世帯の共同の本棚として使用することができる。なお、本棚１１１に収納するものは、本に限らず、親世帯、親世帯に属する子、及び、子世帯の共同で使用できるものを収納することもできる。例えば、本棚１１１には、孫の本や玩具等を収納することもできる。
【００５６】
また、世帯間収納部１５にも、孫の玩具等を収納しておくことができる。世帯間収納部１５は、親世帯住居部Ｘ及び子世帯住居部Ｙの両方からアクセス可能であるため、家族全員の収納部として使用することができる。
【００５７】
また、本実施形態では、子世帯が親世帯住居部Ｘ内に入ることを拒むものではない。これは、親世帯は、孫と遊びたいという要求もあり、子世帯には自身（親世帯）の子も含まれているため、子世帯が親世帯側に来ることを積極的に望む場合がある。そこで、本実施形態では、親世帯居間３２の机３３を、家族全員が集まった場合であっても食事ができる大きさにすることができる。
【００５８】
また、親世帯ＬＤＫ３０と書斎７０とが連続した空間となっているので、書斎７０に設けられた本棚７１内の本が、親世帯ＬＤＫ３０に来た子世帯や孫の目に触れる。これにより、本についての話題等、家族のコミュニケーションきっかけを提供することができる。
【００５９】
（第２の実施形態）
次に、第２の実施形態について説明する。なお、第２の実施形態は、第１の実施形態で説明した住宅Ａの各部屋を、３階建ての建物に割り振りなおしたものである。このため、第２の実施形態の住宅において、第１の実施形態と同じ部屋については同一符号を付し、詳細な説明を省略する。
【００６０】
図３〜図５に示されるように、住宅Ｂは、３階建構造となっており、建物の最上部には屋根構造が設けられる。住宅Ｂの居住者は、第１の実施形態と同じとする。
【００６１】
（住宅の１階の全体構成）
住宅Ｂの１階（地上階）には、図３に示すように、親世帯玄関部１０、子世帯玄関部２０、親世帯ＬＤＫ３０、親世帯寝室４０、及び、親世帯水周り５０が設けられる。住宅Ｂの１階には、親世帯が居住する。
【００６２】
子世帯玄関部２０は、住宅Ａの北東の角部に設けられる。子世帯玄関部２０は、子世帯が使用する。子世帯玄関部２０は、子世帯玄関２１と、子世帯玄関ホール２２とを含んで構成される。子世帯玄関ホール２２の西側の端部近傍には、階段２７が設けられる。階段２７は、住宅Ｂの１階と２階とをつなぐものであり、Ｕターン形式となっている。階段２７の下方には、収納部２３が設けられる。
【００６３】
親世帯玄関部１０は、間仕切壁を挟んで子世帯玄関部２０の南側の位置に設けられる。親世帯玄関部１０は、親世帯と、親世帯に属する子とが使用する。親世帯玄関部１０は、親世帯玄関１１と、親世帯玄関ホール（通路空間）１２とを含んで構成される。親世帯玄関ホール１２と子世帯玄関ホール２２との間には、片引き形式の建具１５ｃが設けられる。建具１５ｃは、親世帯住居部Ｘと子世帯住居部Ｙとを区画する区画手段として機能する。親世帯玄関ホール１２の西側端部には、階段２６が設けられる。階段２６は、住宅Ｂの１階と２階とをつなぐものであり、直線形式となっている。
【００６４】
親世帯ＬＤＫ３０は、子世帯玄関部２０よりも南側であって、住宅Ｂの南東の位置に設けられる。親世帯ＬＤＫ３０と親世帯玄関部１０の親世帯玄関ホール１２との間には建具３１ｃが設けられ、当該建具３１ｃを開閉させて親世帯ＬＤＫ３０と親世帯玄関ホール１２との間を行き来することができるものとなっている。
【００６５】
親世帯寝室４０は、親世帯ＬＤＫ３０の西側の位置に設けられる。親世帯水周り空間５０は、親世帯ＬＤＫ３０及び親世帯寝室４０の北側であって、住宅Ｂの北西の位置に設けられる。
【００６６】
収納部２３の南側には、通路８０が設けられる。通路８０は、東西方向に延在し、子世帯玄関部２０の子世帯玄関ホール２２と、親世帯ＬＤＫ３０のうち親世帯水周り空間５０にアクセスするために親世帯水周り空間５０側に延在する延在部３３とを接続する。通路８０と子世帯玄関ホール２２との間には片開き形式の建具８０ａが設けられ、当該建具８０ａを開閉させて通路８０と子世帯玄関ホール２２との間を行き来することができるものとなっている。通路８０と親世帯ＬＤＫ３０の延在部３３との間には片開き形式の建具８０ｂが設けられ、当該建具８０ｂを開閉させて通路８０と延在部３３との間を行き来することができるものとなっている。建具８０ａ及び建具８０ｂは、親世帯住居部Ｘと子世帯住居部Ｙとを区画する区画手段として機能する。
【００６７】
このように、１階において、親世帯玄関部１０、親世帯ＬＤＫ３０、親世帯寝室４０、及び、親世帯水周り空間５０は、主として親世帯が使用する親世帯住居部Ｘとなる。なお、親世帯玄関部１０、親世帯ＬＤＫ３０、及び、親世帯水周り空間５０は、親世帯に属する子も使用することができる。また、親世帯ＬＤＫ３０、親世帯寝室４０、及び、親世帯水周り空間５０が、親世帯の一般居住空間となる。また、１階において、子世帯玄関部２０は、主として子世帯が使用する子世帯住居部Ｙとなる。
【００６８】
以上のような１階の間取りとすることで、親世帯に属する子は、親世帯の一般居住空間を通ることなく、親世帯玄関１１から階段２６を介して個室空間６０が設けられた２階へアクセスすることができる。親世帯に属する子は、入浴の際には浴室５１を使用する。また、親世帯に属する子は、食事の際には親世帯台所３１を使用したり、親世帯と共に親世帯居間３２で食事をしたりすることができる。
【００６９】
（住宅の２階の全体構成）
住宅Ｂの２階（中間階）には、図４に示すように、共用トイレ１３、個室空間６０、孫空間部１００、２階ホール１１０、吹抜け１５０、ライブラリコーナ１６０、及び、２階通路１７０が設けられる。住宅Ｂの２階には、親世帯に属する子と、孫とが居住する。
【００７０】
２階ホール１１０は、階段２７の南側の位置において東西方向に延在すると共に、階段２７の降り口に連絡する。２階ホール１１０の北側には、階段２８が設けられる。階段２８は、住宅Ｂの２階と３階とをつなぐものであり、Ｕターン形式となっている。２階ホール１１０は、階段２８の登り口に連絡する。
【００７１】
孫空間部１００は、住宅Ｂの東側の位置に設けられる。孫空間部１００と２階ホール１１０との間には片引き形式の建具１００ａが設けられ、当該建具１００ａを開閉させて孫空間部１００と２階ホール１１０との間を行き来することができるものとなっている。
【００７２】
吹抜け１５０は、階段２６の南側の位置に設けられ、１階の親世帯ＬＤＫ３０と、２階の空間とを接続する。
【００７３】
ライブラリコーナ１６０は、吹抜け１５０の南側の位置から吹抜け１５０の西側の位置にかけて略Ｌ字状に延在する。ライブラリコーナ１６０には、本棚１６１、ソファー１６２、及び、机１６３等が設けられる。ライブラリコーナ１６０は、階段２６の降り口に連絡する。ライブラリコーナ１６０と孫空間部１００との間には片引き形式の建具１００ｂが設けられ、当該建具１００ｂを開閉させてライブラリコーナ１６０と孫空間部１００との間を行き来することができるものとなっている。この建具１００ｂは、親世帯住居部Ｘと子世帯住居部Ｙとを区画する区画手段として機能する。
【００７４】
住宅Ｂの西側には、個室空間６０が設けられる。個室空間６０とライブラリコーナ１６０との間には片開き形式の建具６０ａが設けられ、当該建具６０ａを開閉させて個室空間６０とライブラリコーナ１６０との間を行き来することができるものとなっている。
【００７５】
共用トイレ１３は、階段２７の西側の位置に設けられる。２階通路１７０は、共用トイレ１３の南側の位置に設けられる。共用トイレ１３と２階通路１７０との間には片開き形式の建具１３ａが設けられ、当該建具１３ａを開閉させて共用トイレ１３と２階通路１７０との間を行き来することができるものとなっている。２階通路１７０と２階ホール１１０との間には片開き形式の建具１７０ａが設けられ、当該建具１７０ａを開閉させて２階通路１７０と２階ホール１１０との間を行き来することができるものとなっている。２階通路１７０とライブラリコーナ１６０との間には片開き形式の建具１７０ｂが設けられ、当該建具１７０ｂを開閉させて２階通路１７０とライブラリコーナ１６０との間を行き来することができるものとなっている。
【００７６】
ここで、建具１７０ａ及び建具１７０ｂは、親世帯住居部Ｘと子世帯住居部Ｙとを区画する区画手段として機能する。具体的には、建具１７０ａが閉状態であり、建具１７０ｂが開状態である場合、共用トイレ１３を、親世帯及び親世帯に属する子側のトイレとして使用することができる。反対に、建具１７０ａが開状態であり、建具１７０ｂが閉状態である場合、共用トイレ１３を、子世帯側のトイレとして使用することができる。即ち、建具１７０ａ及び建具１７０ｂの開閉によって、共用トイレ１３が属する世帯を切り替えることができる。また、これら建具１７０ａ，１７０ｂはいずれの側からも施錠可能な施錠手段を有し、且つ、当該施錠状態を一見して判断できる表示手段を有する構成とすることで、よりいっそう明確に当該共用トイレ１３の属する世帯が現状ではいずれであるかといった意思表示を示すことができる。
【００７７】
また、他の区画手段、例えば両世帯の区画手段となる建具１５ａ〜１５ｃも同様の構成とすることにより、一方の世帯が現状どのような独立状態を望んでいるか（他方の世帯の入室を許可している状態であるのか否か）を他方の世帯に明確に且つ間接的に判断させることができるものとなっている。
【００７８】
このように、２階において、孫空間部１００及び２階ホール１１０は、主として子世帯が使用する子世帯住居部Ｙとなる。
【００７９】
以上のような２階の間取りとすることで、親世帯に属する子は、孫空間部１００を通ることなく、親世帯玄関部１０から、階段２６及びライブラリコーナ１６０を介して、個室空間６０へアクセスすることができる。
【００８０】
また、親世帯に属する子は、親世帯の一般居住空間及び子世帯の一般居住空間を通ることなく、ライブラリコーナ１６０へアクセスすることができる。同様に、親世帯は、個室空間６０及び子世帯の一般居住空間を通ることなく、ライブラリコーナ１６０にアクセスすることができる。子世帯は、個室空間６０及び親世帯の一般居住空間を通ることなく、ライブラリコーナ１６０へアクセスすることができる。
【００８１】
（住宅の３階の全体構成）
住宅Ｂの３階（最上階）には、図５に示すように、子世帯ＬＤＫ１２０、子世帯寝室１３０、子世帯水周り空間１４０が設けられる。住宅Ｂの３階には、子世帯の夫婦が居住する。
【００８２】
子世帯寝室１３０は、住宅Ｂの北西の位置に設けられる。子世帯水周り空間１４０は、住宅Ｂの北東の位置に設けられる。子世帯ＬＤＫ１２０は、子世帯寝室１３０、階段２８、及び、子世帯水周り空間１４０の南側の位置に設けられる。
【００８３】
このように、３階において、子世帯ＬＤＫ１２０、子世帯寝室１３０、及び、子世帯水周り空間１４０は、主として子世帯が使用する子世帯住居部Ｙとなる。また、子世帯ＬＤＫ１２０、子世帯寝室１３０、及び、子世帯水周り空間１４０が、子世帯の一般居住空間となる。
【００８４】
以上のような３階の間取りとすることで、子世帯は、子世帯玄関部２０から階段２７及び階段２８を介することで、親世帯住居部Ｘを通ることなく住宅Ｂの３階に設けられた子世帯ＬＤＫ１２０等へアクセスすることができる。
【００８５】
本実施形態は以上のように構成され、親世帯に属する子は、親世帯玄関１１から、親世帯住居部Ｘの一般居住空間を通ることなく、階段２６を介して個室空間６０へアクセスすることができる。また、子世帯は、子世帯玄関２１から、親世帯住居部Ｘ及び個室空間６０を通ることなく、子世帯住居部Ｙへアクセスすることができる。従って、本実施形態における住宅Ｂでは、第１の実施形態と同様に、親世帯に属する子が存在する場合でも、それぞれに気を遣うことなく生活することができる。
【００８６】
また、生活動線において上下移動の体力的負担が大きい親世帯の一般居住空間が１階に設けられ、当該負担が比較的小さい子世帯の一般居住空間が３階に設けられることで、親世帯の体力的負担を軽減するのみならず、親世帯及び子世帯の一般居住空間同士を可及的分離して親世帯と子世帯との独立性を高めることができる。
【００８７】
個室空間６０を２階に設けると共に孫空間部１００を２階に設けることにより、これらの空間がバッファーとなり物理的のみならず心理的にも親世帯と子世帯との一般居住空間同士を遠ざけることができ、より独立性の高い住宅Ｂとすることができる。一方で、孫空間部１００と個室空間６０とが２階で比較的近い距離に設けられることにより、これらの室に属する者同士の交流も生まれ、交流の多様性が生まれる。
【００８８】
また、建具１７０ａ及び１７０ｂの開閉状態により、共用トイレ１３の属する世帯を切り替えることができる。これにより、例えば、３階に設けられた子世帯トイレ１４３が使用中である場合、建具１７０ａを開状態とし、建具１７０ｂを閉状態として共用トイレ１３を子世帯に属するものとすることで、子世帯が共用トイレ１３を利用しやすくなる。このように、建具１７０ａ及び建具１７０ｂの開閉により、共用トイレ１３の属する世帯を切り替えることができる。
【００８９】
また、ライブラリコーナ１６０へは、家族の全員が、他の世帯に気兼ねすることなくアクセスすることができる。従って、ライブラリコーナ１６０を住宅Ｂの家族の共有のライブラリーとして利用することができる。また、ライブラリコーナ１６０の本棚１６１に収納されるものは、本以外のものであってもよい。ライブラリコーナ１６０に様々なものを配置し、家族全員が集まれる場所とすることで、家族間の交流の多様性をより一層図ることができる。
【００９０】
以上、本発明の一実施形態について説明したが、本発明は、上記実施形態に限定されるものではない。例えば、各部屋の間取りについては、発明の趣旨を逸脱しない範囲で適宜変更が可能である。また、上記実施形態で説明した住宅の居住者は一例であり、上記の居住者に限定されない。
【符号の説明】
【００９１】
Ａ，Ｂ…住宅、１１…親世帯玄関（親世帯の玄関）、１２…親世帯玄関ホール（通路空間）、１３…共用トイレ（トイレ空間）、１５ａ，１５ｂ，１５ｃ，１００ｂ，１７０ａ，１７０ｂ…建具（区画手段）、２１…子世帯玄関（子世帯の玄関）、３１…親世帯台所（親世帯の台所）、６０…個室空間、６１…洗面台、６２…収納部（収納空間）、１００…孫空間部、１２１…子世帯台所（子世帯の台所）、Ｘ…親世帯住居部、Ｙ…子世帯住居部。
【図１】
2014031636.tif 000003
【図２】
2014031636.tif 000004
【図３】
2014031636.tif 000005
【図４】
2014031636.tif 000006
【図５】
2014031636.tif 000007